(57)【要約】【課題】容器部を逆様に持ち上げて優しく揺らすことにより、化粧液が空気圧力によって外部へ適量吐出制御されるようにして化粧液の吐出使用を非常に簡便かつ便利かつ衛生的に使用することができるようにした化粧液保管用アンプル化粧液保管用アンプルを提供する。【解決手段】本発明の化粧液保管用アンプルは、注入口を介して化粧液が内部に貯蔵される容器部と、前記容器部の注入口の内周面に締まり嵌め方式で気密結合され、化粧液を外部へ吐出させるための吐出管及び化粧液吐出動作の際に外部空気を容器部の内部へ流入させるための空気流入管が形成された吐出器具と、前記吐出器具に対して開閉操作されながら前記吐出管及び空気流入管を開放または遮断制御するようにするキャップ部とを含んでなることを特徴とする。【選択図】図２
2019107435.tif 000002
【特許請求の範囲】
【請求項１】
注入口を介して化粧液が内部に貯蔵される容器部と、
前記容器部の注入口の内周面に締まり嵌め方式で気密結合され、化粧液を外部へ吐出させるための吐出管及び化粧液吐出動作の際に外部空気を容器部の内部へ流入させるための空気流入管が形成された吐出器具と、
前記吐出器具に対して開閉操作されながら前記吐出管及び前記空気流入管を開放または遮断制御するようにするキャップ部とを含んでなることを特徴とする、化粧液保管用アンプル。
【請求項２】
前記吐出器具は、前記容器部の注入口の内周面に気密結合される気密結合部と、前記気密結合部の上部に形成される開閉操作部とを含んでなり、前記気密結合部と前記開閉操作部は、前記気密結合部の底面から開閉操作部の上部へ開放された形態で構成され、前記気密結合部の底面には、化粧液を外部へ吐出させるための吐出管が貫通形成され、前記底面には、前記吐出管とは分離形成され、外部から容器部内へ外部空気が流入するようにする空気流入管が形成されることを特徴とする、請求項１に記載の化粧液保管用アンプル。
【請求項３】
前記吐出管は、その上面が開閉操作部の上面よりもさらに高くなるように延設されることを特徴とする、請求項２に記載の化粧液保管用アンプル。
【請求項４】
前記吐出器具の気密結合部には、容器部の注入口に形成されるセレーションに対して互いに係合されるストップ突起、及び前記注入口の内周面に対する気密結合のためのリング状気密縁がさらに形成されることを特徴とする、請求項２に記載の化粧液保管用アンプル。
【請求項５】
前記吐出器具の開閉操作部及び吐出管の各上面は、前記キャップ部の内周面に対応するように形成された密着面に相互密着支持されることを特徴とする、請求項２に記載の化粧液保管用アンプル。
【請求項６】
前記気密結合部の底面に貫通形成される空気流入管は一つまたはそれ以上であることを特徴とする、請求項１または２に記載の化粧液保管用アンプル。
【請求項７】
前記気密結合部の底面には空気流入管を含めて補助空気流入孔がさらに穿設され、前記補助空気流入孔は一つまたはそれ以上形成されることを特徴とする、請求項６に記載の化粧液保管用アンプル。
【請求項８】
前記吐出器具及び前記キャップ部は互いに異なる材質で形成されることを特徴とする、請求項１または２に記載の化粧液保管用アンプル。
【請求項９】
前記吐出器具は軟質素材からなり、前記キャップ部は相対的に硬質素材からなることを特徴とする、請求項８に記載の化粧液保管用アンプル。
【請求項１０】
前記吐出器具及び前記キャップ部は螺合方式によって開閉操作されることを特徴とする、請求項１に記載の化粧液保管用アンプル。
【発明の詳細な説明】
【技術分野】
【０００１】
本発明は、主にオイル種類の化粧液を封入し、吐出使用するための化粧液保管用アンプルに係り、より詳細には、容器部を逆様に持ち上げて優しく揺らすことにより、化粧液が空気圧力によって外部へ適量吐出制御されるようにして化粧液の吐出使用を非常に簡便かつ便利かつ衛生的に使用することができるようにした化粧液保管用アンプルに関する。
【背景技術】
【０００２】
一般に、注射剤や滋養強壮剤、内服液剤などのように滅菌状態に密封、保管しなければならない内容物は、主にガラス製アンプル（ａｍｐｏｕｌｅ）という容器に包装される。このような容器は、厚さの薄いガラス管に内容物を注入した後、その上端部を火炎で溶融、密封する方法で製造する。
【０００３】
このようなガラス製アンプルは、非常に衛生的であるが、取り扱い過程で破損のおそれが高く、内容物を使用するためにアンプルの上端を切断する過程で鋭い切断部位に手を怪我する事故も時々発生する。
【０００４】
ガラス製アンプルを切断する過程で内容物中に微細なガラス破片が流入するおそれもある。そうすると、内容物と一緒にガラス破片が人体中に流入して血栓などを誘発するおそれもある。
【０００５】
このようなガラス製アンプルの問題点を解決するために、近年では、プラスチック製アンプルが開発、使用されている実情であるが、このようなプラスチック製アンプルは、一般に、合成樹脂を用いて容器をブロー成形し、前記容器の内部に内容物を充填（Ｆｉｌｌｉｎｇ）した後、容器の入口を密封（Ｓｅａｌｉｎｇ）する一連の工程を連続的に行う、いわゆるＢＦＳ（Ｂｌｏｗｉｎｇ−Ｆｉｌｌｉｎｇ−Ｓｅａｌｉｎｇ）工法で製造されている。
【０００６】
ところが、上述したようなプラスチック製アンプルは、ガラス製アンプルとは異なり、材質自体が強い強靱性（ｔｏｕｇｈｎｅｓｓ）を有するため、容器の上部に衝撃を加える動作のみでは容器を容易に開封することができず、別途備えられた翼型取っ手を捻って容器本体から頚部分、切断部分を強制的に分離しなければならない。
【０００７】
このとき、プラスチック製アンプルは、ガラス製アンプルの如く切断部位が滑らかに切断されるのではなく、切断部位が延伸される、いわゆる延伸残滓を残す。この切断部位は切断過程でユーザーの手が触れて汚染するおそれが高く、これにより、アンプル容器の内部に封入された内容物を意図せずに汚染させる可能性が非常に高まるという問題がある。
【０００８】
したがって、このような問題を解決するために、パリソン（Ｐａｒｉｓｏｎ）の厚さを最大限薄くしたり、刃などの鋭い金属で開封切断部の表面の一部を除去したりもするが、パリソンは、重力によって伸びるので、厚さを薄くするのには技術的な限界があり、また、開封切断部の表面の一部を除去する方法も延伸残滓を完全に除去するには限界があるといえる。
【０００９】
また、従来のプラスチック製アンプルは、上端部の切断をより容易にするために、構造的に上部に直径が小さくて長い頚部分を形成するが、製品の保管及び輸送過程でアンプルを横にすると、前記頚部分にも内容物が充填される。そうなると、再びアンプルを立てても、頚部分の内容物が再び容器の内部に降りて来ずそのまま残っているため、アンプルを使用するときは、開封の前に、頚部分に残っている残水をいちいち除去しなければならない使用上の不便さがある。
【００１０】
一方、特許文献１には、従来のプラスチック製アンプルで頚部の切断による問題点を解決するために、ボディ部と取っ手部との間の切断頚部に外周だけでなく、内周上にリング状の切断溝を形成して厚さを薄くするので、取っ手部を反らす外力によって切断頚部の切断がより簡便かつ迅速に行われるようにした、プラスチック製アンプルが開示されている。
【００１１】
また、従来では、容器の内部に収容された化粧水などの内容物をスポイトを用いて引き出して使用する容器があったが、これはスポイトを容器とは別に掴んでいちいち引き出して使用することによる不便さがあった
【００１２】
その他にも、ガラス製アンプルの使用による問題を解決するために、特許文献２には、アンプル本体の下側開口端にピストンを挿入して、アンプル本体の内部に投入された内容部が貯蔵されるようにし、前記アンプル本体の入出口を塞いでいる取っ手部を用いて前記ピストンを強制的に押し上げる動作によって内容物を複数回に分けて使用することができるようにした化粧品保管用アンプルが開示されている。
【先行技術文献】
【特許文献】
【００１３】
【特許文献１】韓国登録特許第１０−１７1６１５７０号公報
【特許文献２】韓国登録実用新案第２０−０４６１７３６号公報
【発明の概要】
【発明が解決しようとする課題】
【００１４】
そこで、本発明は、従来のガラス製またはプラスチック製アンプルにおける諸般の問題点を解決するためになされたもので、その目的は、頚部を切断して内容物を使用する従来のアンプル構造から脱皮してキャップ部を開放した後、容器部を逆様に持ち上げて優しく揺らす動作によって、容器部の内部に流入する空気の圧力によって化粧液が適量吐出されるようにして、容器の構造や材質に関わらず、化粧液をより衛生的かつ安全に吐出させて使用することを可能にして製品の使用便利性及び安定性をさらに高めるようにした、化粧液保管用アンプルを提供することにある。
【課題を解決するための手段】
【００１５】
上記の課題を解決するための化粧液保管用アンプルは、注入口を介して化粧液が内部に貯蔵される容器部と、前記容器部の注入口の内周面に締まり嵌め方式で気密結合され、化粧液を外部へ吐出させるための吐出管及び化粧液吐出動作の際に外部空気を容器部の内部に流入させるための空気流入管が形成された吐出器具と、前記吐出器具に対して開閉操作されながら前記吐出管及び空気流入管を開放または遮断制御するようにするキャップ部とを含んでなることを特徴とする。
【００１６】
本発明によれば、前記吐出器具は、前記容器部の注入口の内周面に気密結合される気密結合部と、前記気密結合部の上部に形成される開閉操作部とを含んでなり、前記気密結合部と前記開閉操作部は、前記気密結合部の底面から開閉操作部の上部に開放された形態で構成され、前記気密結合部の底面には、吐出管が形成され、前記底面には、前記吐出管とは分離形成され、外部から容器部内へ外部空気が流入するようにする空気流入管が形成されることが好ましい。
【００１７】
本発明によれば、前記吐出管は、その上面が開閉操作部の上面よりもさらに高くなるように延設されることが好ましい。
【００１８】
本発明によれば、前記吐出器具の気密結合部には、容器部の注入口に形成されるセレーションに対して互いに係合されるストップ突起、及び注入口の内周面に対する気密結合のためのリング状気密縁がさらに形成されることが好ましい。
【００１９】
本発明によれば、前記吐出器具の開閉操作部及び吐出管の各上面は、キャップ部の内周面に対応して形成された密着面に相互密着支持されることが好ましい。
【００２０】
本発明によれば、前記気密結合部の底面に形成される空気流入管は一つまたはそれ以上であることが好ましい。
【００２１】
本発明によれば、前記気密結合部の底面には空気流入管を含めて補助空気流入孔がさらに穿設され、前記補助空気流入孔は一つまたはそれ以上形成されることが好ましい。
【００２２】
本発明によれば、前記吐出器具及び前記キャップ部は互いに異なる材質で形成されることが好ましい。
【００２３】
本発明によれば、前記吐出器具は軟質素材からなり、前記キャップ部は相対的に硬質素材からなることが好ましい。
【００２４】
本発明によれば、前記吐出器具及び前記キャップ部は螺合方式によって開閉操作されることが好ましい。
【発明の効果】
【００２５】
本発明によれば、キャップ部を吐出器具から分離開放した後、容器部を逆様にした状態で優しく揺らすことにより、化粧液が空気圧力によって外部へ適量吐出制御されることにより、化粧液の吐出使用を非常に簡便且つ便利且つ衛生的に行うことができるという利点を提供し、化粧液の用途に応じて使い捨て使用または数回使用可能な形態のアンプルを提供することができる。
【００２６】
また、本発明によれば、吐出器具とキャップ部を互いに異なる材質で形成することにより、高い気密力を提供することができるという利点を持つ。
【００２７】
また、本発明によれば、化粧液の比重差に応じて空気流入管を一つまたはそれ以上形成することにより比重差を持つ化粧液の吐出作業も容易に行われるようにする利点を提供するとともに、補助空気流入孔をさらに形成することにより空気の流入動作をよりスムーズに提供するという利点を持つ。
【００２８】
また、本発明によれば、容器部の注入口の外周面にねじ部が形成されないことにより、容器の射出またはブロー成形作業が非常に簡便になるという利点を持つ。
【図面の簡単な説明】
【００２９】
【図１】本発明に係る化粧液保管用アンプルの分離断面図である。
【図２】図１の組立断面図である。
【図３】本発明の一実施形態に係る吐出器具の抜粋斜視図である。
【図４】本発明の他の実施形態に係る吐出器具の抜粋斜視図である。
【図５】図４の吐出器具が組み立てられた状態の断面図である。
【図６】本発明の他の実施形態に係る吐出器具の抜粋斜視図である。
【図７】本発明に係る化粧液保管用アンプルの様々な実施形態を示す斜視図である。
【図８】本発明に係るキャップ部を除去した後、化粧液を吐出させる状態を示す使用状態断面図である。
【発明を実施するための形態】
【００３０】
以下、本発明に係る好適な実施形態を添付図面を参照して詳細に説明する。
【００３１】
図１乃至図３を参照すると、本発明に係る化粧液保管用アンプル１００は、容器部２００、吐出器具３００及びキャップ部４００を含んで構成される。
【００３２】
容器部２００は、内部に化粧水が化粧水が封入される一定の面積の貯蔵空間２１０と、前記貯蔵空間に連結される注入口２２０とを含んで構成される。注入口２２０は、容器部２００の貯蔵空間２１０に連結されるように一側上端に一体に延設される。
【００３３】
このような容器部２００は、前記注入口２２０の外周面に従来の如くキャップ部４００の開閉のためにねじ部が形成されないことにより、その射出またはブロー成形性を非常に良くする。
【００３４】
また、容器部２００は、化粧液の使用回数、すなわち、使い捨て用または多数回、好ましくは５回以下に使用される程度を考慮して適正の大きさ及び形態を有することができる。また、その素材も、ガラス素材だけでなく、合成樹脂素材などの多様な素材にすることができるのは当然である。
【００３５】
上述した容器部２００の形態や大きさなどは、図７を参照すると、様々に実施できることが十分に分かる。
【００３６】
容器部２００の貯蔵空間２１０には、注入口２２０を介して化粧液の充填作業が行われる。
【００３７】
吐出器具３００は、容器部２００の注入口２２０の内側に気密結合される気密結合部３１０と、開閉操作部３２０とを含んでなり、これらの間には、組み立ての際に、注入口２２０の上面に装着されるフランジ３３０が外側に段差付くように突設されている。
【００３８】
前記気密結合部３１０と前記開閉操作部３２０は、前記気密結合部３１０の底面３１２から開閉操作部３２０の上部へ開放された形態をなすように一体に形成される。
【００３９】
前記気密結合部３１０の底面３１２には吐出管３１４が形成されている。前記吐出管３１４は、容器部２００の貯蔵空間２１０から化粧液を外部へ安全に吐出する。
【００４０】
前記吐出管３１４は、開閉操作部３２０の上面よりも外側にさらに延長されるように露出形成して化粧液の吐出をより容易にすることが好ましい。
【００４１】
前記気密結合部３１０の底面３１２には、開閉操作部３２０の開放上端を介して外部から流入する空気を容器部２００の貯蔵空間２１０の内部へ供給するための空気流入管３４０が分離形成されている。
【００４２】
前記空気流入管３４０は、化粧液の比重差に応じてその大きさまたは個数を異ならせて形成することができる。
【００４３】
前記空気流入管３４０は、気密結合部３１０の底面３１２に貫通するように延設されている。
【００４４】
したがって、後述するキャップ部４００の開放の際に、開閉操作部３２０の内部空間を介して流入した空気が空気流入管３４０を介して容器部２００の貯蔵空間２１０の内部まで奥深く供給されるようにして、化粧液の吐出動作がよりスムーズに行われ得る。
【００４５】
本発明によれば、前記空気流入管３４０の大きさや形態、その形成個数などは、化粧液の比重差を始めとして化粧液の吐出量などを総合的に考慮して様々な実施が可能であるといえる。
【００４６】
このような点は、図６に例示された吐出器具３００を参照すると、十分に理解できる。
【００４７】
併せて、図４及び図５の如く、空気流入管３４０が形成された吐出器具の底面３１２には、補助空気流入孔３４２がさらに穿設されてもよい。このとき、補助空気流入孔は空気流入管３４０よりは小さいサイズを有することができる。
【００４８】
また、補助空気流入孔は、図面上、一つのみが形成されたものと示されているが、必要に応じて一つ以上形成できるのは当然である。
【００４９】
このような補助空気流入孔３４２を介して空気の疎通がさらにスムーズに行われることにより、化粧液の吐出作用をより容易に誘導することができる。
【００５０】
前記開閉操作部３２０の外周面には、螺合のための雄ねじ３２２が形成されている。
【００５１】
また、前記気密結合部３１０の外周面には、容器部２００の注入口２２０の内周面に形成されたセレーション２２２に係止されるストップ突起３１６が形成されている。
【００５２】
前記ストップ突起３１６は、セレーション２２２と互いに噛み合う状態で結合される点を考慮して、対応する形態で形成されることが好ましい。
【００５３】
また、吐出器具３００の結合の際に注入口２２０の内周面に強制的に密着されながら気密されるようにしたリング状気密縁３１８が形成されている。
【００５４】
このようなリング状気密縁３１８は、気密が要求される程度に応じて、一つまたはそれ以上様々な実施が可能である。
【００５５】
前記吐出器具３００は、セレーション２２２に係合されるストップ突起３１６によって、キャップ部４００のねじ開閉操作の際に任意の回転が防止でき、また、リング状気密縁３１８によって注入口２２０の内周面が遮断されることにより、注入口の内周面を介しては化粧液の漏れが防止できる。
【００５６】
前記リング状気密縁３１８によって、吐出器具３００は容器部２００の注入口２２０の内周面に対する強い密着結合力を提供し、これにより気密結合が可能になる。
【００５７】
キャップ部４００は、前記吐出器具３００の開閉操作部３２０に対して開閉操作されながら前記吐出器具の吐出管３１４及び空気流入管３４０を開放または遮断制御するようにするものであって、その内周面には、前記吐出器具の開閉操作部３２０に形成された雄ねじ３２２と対応結合される雌ねじ４１０が形成されている。
【００５８】
キャップ部４００の内周面には、前記吐出器具３００の開閉操作部３２０の上面及び吐出管３１４の上面に互いに密着する密着面４２０が対応して段差付くように形成されている。
【００５９】
本発明によれば、吐出器具３００及びキャップ部４００も、図７に例示されているように、用途や容器部２００の形状に応じて多様に実施できるのはもちろんである。
本発明によれば、前記吐出器具３００及びキャップ部４００は、互いに異質な素材で形成されることが好ましい。
【００６０】
つまり、吐出器具３００は軟質素材とし、キャップ部４００は相対的に硬質素材とすることが好ましい。もちろん、これとは反対にも形成できる。
【００６１】
吐出器具３００を軟質素材とする場合、容器部２００の注入口２２０への結合の際に、気密結合が行われ得る。よって、このような機能の達成が難しくなる硬質素材に比べてある程度の弾性を持つ軟質素材が好ましい。その一例としては、ＰＥを始めとしてゴム（Ｒｕｂｂｅｒ）素材が使用できる。
【００６２】
また、キャップ部４００は、相対的に硬質素材で製作して前記吐出器具３００に対する気密結合力を高めるようにするのが良い。このような素材としては、ＰＰを始めとしてＡＢＳなどの素材が使用できる。
【００６３】
上述のように、吐出器具３００は軟質素材とし、キャップ部４００は硬質素材とすることにより、特に、吐出器具に対するキャップ部４００の結合の際に、吐出器具の吐出管３１４の上面と開閉操作部３２０の上面は、キャップ部４００の内周面に形成された密着面４２０に対して互いに弾性密着するため、安定した気密性を提供する。
【００６４】
上述のように構成される本発明に係る化粧液保管用アンプル１００を用いて、容器部２００の貯蔵空間２１０に込められた化粧液を１回または数回吐出させて使用する状態について説明する。
【００６５】
まず、化粧液を吐出させる前には、吐出器具３００の開閉操作部３２０に対してキャップ部４００が螺合方式で気密結合されているため、容器部２００を逆様に持ち上げるとしても、化粧液の漏れまたは漏洩が防止される。
【００６６】
つまり、吐出器具３００の吐出管３１４の上面と開閉操作部３２０の上面がキャップ部の内周面に対応して形成された密着面４２０に相互密着して気密状態を維持しており、また、容器部２００の注入口２２０の内周面が吐出器具３００のリング状気密縁３１８によってしっかりと気密接触しているので、化粧液の漏れや漏洩が防止される。
【００６７】
このような状態で化粧液を吐出させて使用しようとする場合には、吐出器具３００からキャップ部４００を開放操作して分離させる。
【００６８】
上述のようにキャップ部４００が吐出器具３００から開放されると、空気流入管３４０は外気の流入が可能な状態に開放され、且つ吐出管３１４も開放される。
【００６９】
このような状態で、図８に示すように、容器部２００を掴んで逆様に持ち上げた後、優しく揺らすと、容器部２００の貯蔵空間２１０に貯蔵された化粧液が空気流入管３４０から流入する空気の圧力によって吐出管３１４を介して外部へ排出される。
【００７０】
したがって、上述したような方式によって必要な量だけ化粧液を１回または数回吐出使用すればよく、吐出完了後にキャップ部４００を再び吐出器具３００に閉じることにより化粧液の安定した気密保管が可能となる。
【００７１】
たとえ、本発明を添付図面を参照して説明したが、本発明は、これに限定されず、下記の特許請求の範囲から外れない範囲内で多くの変更及び修正を加え得るのはもちろんである。
【符号の説明】
【００７２】
１００    化粧液保管用アンプル
２００    容器部
２１０    貯蔵空間
２２０    注入口
２２２    セレーション
３００    吐出器具
３１０    気密結合部
３１２    底面
３１４    吐出管
３１６    ストップ突起
３１８    リング状気密縁
３２０    開閉操作部
３２２    雄ねじ
３４０    空気流入管
３４２    補助空気流入孔
４００    キャップ部
４１０    雌ねじ
４２０    密着面
【図１】
2019107435.tif 000003
【図２】
2019107435.tif 000004
【図３】
2019107435.tif 000005
【図４】
2019107435.tif 000006
【図５】
2019107435.tif 000007
【図６】
2019107435.tif 000008
【図７】
2019107435.tif 000009
【図８】
2019107435.tif 000010